(57)【要約】【課題】  組立作業性を向上させることができる鍵盤楽器を提供する。【解決手段】  一端側の力点部である鍵連結部２５と、他端側の荷重点部である錘部２３と、鍵連結部２５と錘部２３との間の支点部である回転軸部２４と、をそれぞれ有する複数のハンマー部材２０と、これら複数のハンマー部材２０を揺動可能に保持しているハンマーホルダ２１と、を有するハンマーユニット３と、複数のハンマー部材２０の揺動を規制範囲内に規制する規制部材である第１、第２ハンマー規制部３２ａ、３２ｂを有し、ハンマーユニット３が組み込まれている鍵盤シャーシ１と、を備えている。従って、ハンマー部材２０をハンマーホルダ２１で回転可能に保持した状態で、ハンマーホルダ２１を鍵盤シャーシ１に組み付ける際に、第１、第２ハンマー規制部３２ａ、３２ｂによってハンマー部材２０の回転を規制することができるので、組立作業性を向上させることができる。【選択図】        図９
2020024266.tif 000002
【特許請求の範囲】
【請求項１】
一端側に設けられている力点部と、他端側に設けられている荷重点部と、前記力点部と前記荷重点部との間に設けられている支点部と、をそれぞれ有する複数のハンマー部材と、
前記複数のハンマー部材を揺動可能に保持しているハンマーホルダと、
を有するハンマーユニットと、
押鍵操作に応じた前記複数のハンマー部材の揺動を規制範囲内に規制する規制部材を有し、前記ハンマーユニットが組み込まれている鍵盤シャーシと、
を備え、
前記ハンマーユニットを前記鍵盤シャーシに組み込むために前記ハンマーユニットを上下反転させた状態において、前記複数のハンマー部材それぞれにおける前記支点部と、前記荷重点部の他端と、の間の鍵の前後方向の長さを、前記支点部と、前記規制部材における前記支点部側の一端と、の間の前記鍵の前後方向の長さより長くするために、前記ハンマーホルダは、前記上下反転させた状態で前記複数のハンマー部材のそれぞれの前記力点部側に接する複数の力点部側接点を有していることを特徴とする鍵盤楽器。
【請求項２】
請求項１に記載の鍵盤楽器において、
前記ハンマーホルダは、前記ハンマーユニットを前記鍵盤シャーシに組み込むために前記ハンマーユニットを上下反転させて載置面上に載置させた際に、前記ハンマーホルダの上端と、前記複数のハンマー部材それぞれの荷重点部が、前記載置面上に接するように、前記複数のハンマー部材を保持していることを特徴とする鍵盤楽器。
【請求項３】
請求項１または２に記載の鍵盤楽器において、
前記複数のハンマー部材は、少なくとも１つの白鍵用のハンマー部材と、前記少なくとも１つの白鍵用のハンマー部材とは形状が異なる少なくとも１つの黒鍵用のハンマー部材と、を含み、
前記ハンマーホルダは、前記複数のハンマー部材をそれぞれ保持するための複数の保持片を含み、
前記複数の保持片が前記複数のハンマー部材を保持していない状態において、前記複数の保持片が前記少なくとも１つの白鍵用のハンマー部材及び前記少なくとも１つの黒鍵用のハンマー部材のいずれのハンマー部材を保持するかを識別するために、前記複数の保持片は、識別子を有していることを特徴とする鍵盤楽器。
【請求項４】
請求項３に記載の鍵盤楽器において、
前記識別子は、前記複数の保持片のうち前記少なくとも１つの白鍵用のハンマー部材を保持している一対の保持片の上端に設けられている複数の突起であることを特徴とする鍵盤楽器。
【請求項５】
請求項４に記載の鍵盤楽器において、
前記ハンマーホルダは、前記ハンマーユニットを前記鍵盤シャーシに組み込むために前記ハンマーユニットを上下反転させて載置面上に載置させた際に、前記複数の突起と、前記複数のハンマー部材それぞれの荷重点部が、前記載置面上に接するように、前記複数のハンマー部材を保持していることを特徴とする鍵盤楽器。
【請求項６】
請求項１乃至５のいずれかに記載の鍵盤楽器において、
前記複数のハンマー部材それぞれの支点部はそれぞれ軸を含み、
前記ハンマーホルダは、前記軸を軸止する複数の孔を含むことを特徴とする鍵盤楽器。
【請求項７】
請求項１乃至６のいずれかに記載の鍵盤楽器において、
前記押鍵操作に応じて、前記複数のハンマー部材が前記規制範囲内を揺動する際に、前記複数のハンマー部材は、前記力点部側接点に接しないことを特徴とする鍵盤楽器。
【請求項８】
請求項１乃至７のいずれかに記載の鍵盤楽器において、
前記ハンマーホルダは、前記ハンマーユニットが前記鍵盤シャーシに組み込まれていない状態において、前記複数のハンマー部材のそれぞれの前記荷重点部側に接する複数の荷重点部側接点を有することにより、前記複数のハンマー部材は、前記ハンマーユニットが前記鍵盤シャーシに組み込まれていない状態において、前記荷重点部側接点の位置から前記力点部側接点の位置までの自由揺動範囲内を揺動し、
前記押鍵操作に応じて、前記複数のハンマー部材が前記規制範囲内を揺動する際に、前記複数のハンマー部材は、前記荷重点部側接点に接しないことを特徴とする鍵盤楽器。
【発明の詳細な説明】
【技術分野】
【０００１】
この発明は、電子ピアノなどの鍵盤楽器に関する。
【背景技術】
【０００２】
例えば、鍵盤楽器においては、特許文献１に記載されているように、鍵盤シャーシ上に複数の鍵が上下方向に回転可能に取り付けられ、これら複数の鍵それぞれにアクション荷重を付与するための複数のハンマー部材がハンマーホルダによって鍵盤シャーシの下面に取り付けられた構造のものが知られている。
【先行技術文献】
【特許文献】
【０００３】
【特許文献１】実開平７−３４４８０号公報
【発明の概要】
【発明が解決しようとする課題】
【０００４】
このような鍵盤楽器は、複数のハンマー部材をそれぞれ軸部によってハンマーホルダに回転可能に取り付けてハンマーユニットを形成し、このハンマーユニットを鍵盤シャーシに取り付ける際に、複数のハンマー部材が各軸部を中心に個別に回転してハンマー部材の錘部側が大きく垂れ下がるため、組立作業性が悪いという問題がある。
【０００５】
この発明が解決しようとする課題は、組立作業性を向上させることができる鍵盤楽器を提供することである。
【課題を解決するための手段】
【０００６】
この発明は、一端側に設けられている力点部と、他端側に設けられている荷重点部と、前記力点部と前記荷重点部との間に設けられている支点部と、をそれぞれ有する複数のハンマー部材と、前記複数のハンマー部材を揺動可能に保持しているハンマーホルダと、を有するハンマーユニットと、押鍵操作に応じた前記複数のハンマー部材の揺動を規制範囲内に規制する規制部材を有し、前記ハンマーユニットが組み込まれている鍵盤シャーシと、を備え、前記ハンマーユニットを前記鍵盤シャーシに組み込むために前記ハンマーユニットを上下反転させた状態において、前記複数のハンマー部材それぞれにおける前記支点部と、前記荷重点部の他端と、の間の鍵の前後方向の長さを、前記支点部と、前記規制部材における前記支点部側の一端と、の間の前記鍵の前後方向の長さより長くするために、前記ハンマーホルダは、前記上下反転させた状態で前記複数のハンマー部材のそれぞれの前記力点部側に接する複数の力点部側接点を有していることを特徴とする鍵盤楽器である。
【発明の効果】
【０００７】
この発明によれば、組立作業性を向上させることができる。
【図面の簡単な説明】
【０００８】
【図１】この発明を適用した鍵盤楽器の一実施形態を示した断面図である。
【図２】図１示された鍵盤楽器の白鍵を押鍵した状態を示した断面図である。
【図３】図１示された鍵盤楽器のハンマーユニットを示した要部の拡大斜視図である。
【図４】図３に示されたハンマーユニットにおける白鍵のハンマー部材を示し、（ａ）はその斜視図、（ｂ）はそのハンマー本体を示した斜視図、（ｃ）はその軸部を示した斜視図である。
【図５】図３に示されたハンマーユニットにおける黒鍵のハンマー部材を示し、（ａ）はその斜視図、（ｂ）はそのハンマー本体を示した斜視図、（ｃ）はその軸部を示した斜視図である。
【図６】図３に示されたハンマーユニットにおけるハンマーホルダを示した斜視図である。
【図７】図６に示されたハンマーホルダの断面の示し、（ａ）は図６のＡ−Ａ矢視における要部の拡大断面図、（ｂ）は図６のＢ−Ｂ矢視における要部の拡大断面図である。
【図８】図７に示されたハンマーホルダにハンマー部材を取り付けた状態における要部の拡大断面図である。
【図９】図８に示されたハンマーホルダに対するハンマー部材の回転範囲を示した図である。
【図１０】図９に示されたハンマーホルダとハンマー部材とを上下反転させて作業台などの載置面上に配置させた状態を示した図である。
【図１１】図１０に示されたハンマーホルダとハンマー部材とを上下反転された鍵盤シャーシに上方から組み付ける状態を示した図である。
【図１２】図１１に示されたハンマーホルダとハンマー部材とが上下反転された鍵盤シャーシに組み付かられた状態を示した図である。
【図１３】図１２に示された鍵盤シャーシに対するハンマーホルダの位置決め状態を示し、（ａ）は鍵盤シャーシの要部を示した裏面図、（ｂ）はハンマーホルダの裏面図である。
【発明を実施するための形態】
【０００９】
以下、図１〜図１３を参照して、この発明を鍵盤楽器に適用した一実施形態について説明する。
この鍵盤楽器は、図１および図２に示すように、ＡＢＳ樹脂などの合成樹脂製の鍵盤シャーシ１と、この鍵盤シャーシ１上に配列されて上下方向にそれぞれ回転可能に取り付けられた複数の鍵２と、これら複数の鍵２の押鍵操作に伴って各鍵２それぞれにアクション荷重を付与するためのハンマーユニット３と、複数の鍵２それぞれの押鍵動作に応じてオン動作するスイッチ部４と、を備えている。
【００１０】
鍵盤シャーシ１は、楽器ケース（図示せず）内に配置されるものである。この鍵盤シャーシ１の前端部（図１では右端部）には、図１および図２に示すように、前脚部５が底部から上方に突出して設けられている。この前脚部５の上部には、鍵２の横振れを防ぐための鍵ガイド部６が各鍵２にそれぞれ対応して設けられている。また、この鍵盤シャーシ１における前脚部５の後部側（図１では左側部）には、ユニット載置部７が前脚部５とほぼ同じ高さで設けられている。
【００１１】
この鍵盤シャーシ１の前後方向（図１では左右方向）におけるほぼ中間部、つまりユニット載置部７の上部後方には、図１および図２に示すように、基板載置部８が一段高く設けられている。この基板載置部８の上方には、スイッチ部４が複数の基板支持部９によって取り付けられている。この場合、複数の基板支持部９は、基板載置部８の上面における前後部に起立して設けられている。
【００１２】
さらに、この鍵盤シャーシ１の後部、つまり基板載置部８の後部側には、図１および図２に示すように、鍵載置部１０が鍵ガイド部６の上部よりも少し低い高さで設けられている。この鍵載置部１０の上面には、複数の鍵支持部１１が上方に突出した状態で鍵２の配列方向に沿って等間隔で設けられている。これら複数の鍵支持部１１には、鍵２の後端部を上下方向に回転可能に支持する鍵支持軸１１ａがそれぞれ設けられている。
【００１３】
また、この鍵盤シャーシ１における鍵載置部１０の後端部には、図１および図２に示すように、鍵盤シャーシ１の後端部を支持する後脚部１２が鍵盤シャーシ１の上部から底部に向けて垂下されている。この後脚部１２の下端部には、ハンマーユニット３の後述するハンマー部材２０の下限位置を規制するためのフェルトなどの下限ストッパ１３が設けられている。
【００１４】
一方、鍵２は、図１および図２に示すように、白鍵と黒鍵とを有している。ただし、この実施形態では、１つの白鍵について説明する。この鍵２は、その後端部（図１では左端部）が鍵盤シャーシ１の鍵載置部１０上に設けられた鍵支持部１１の鍵支持軸１１ａによって上下方向に回転可能に支持されている。この鍵２の前後方向（図１では左右方向）におけるほぼ中間部には、鍵盤シャーシ１の基板載置部８上に取り付けられたスイッチ部４を押圧するためのスイッチ押圧部１４が下側に突出して設けられている。
【００１５】
この場合、スイッチ部４は、図１および図２に示すように、スイッチ基板１５上に配置されたゴムシートを膨出させたドーム状の膨出部１６を備えている。このドーム状の膨出部１６は、鍵２のスイッチ押圧部１４に対応してスイッチ基板１５上に設けられている。このスイッチ部４におけるスイッチ基板１５は、その前端部（図１では右端部）がユニット載置部７上に配置され、他端部（図１では左端部）が基板載置部８上に設けられた基板支持部９上に配置され、この状態で基板載置部８の上方に浮いた状態で取り付けられている。
【００１６】
また、このスイッチ部４は、図１および図２に示すように、ゴムシートの膨出部１６がスイッチ押圧部１４によって押圧された際に、膨出部１６が弾性変形して、その内部の可動接点がスイッチ基板１５の固定接点に接触することにより、オン信号を出力するようになっている。この場合、スイッチ基板１５には、スイッチ部４からのオン信号に基づいて楽音情報を生成し、この生成した楽音情報に基づいてスピーカ（図示せず）から楽音を放音させるための発音部１５ａが設けられている。
【００１７】
さらに、鍵２のスイッチ押圧部１４の前側（図１では右側）に位置する鍵２の箇所には、図１および図２に示すように、ハンマー押圧部１７が鍵２の下側に突出して設けられている。このハンマー押圧部１７の下部には、ハンマーユニット３の後述するハンマー部材２０の力点部である鍵連結部２５が配置されるハンマー連結部１８が設けられている。
【００１８】
ハンマーユニット３は、図１〜図３に示すように、複数の鍵２それぞれの押鍵操作に応じて回転して各鍵２にそれぞれアクション荷重を付与する複数のハンマー部材２０と、鍵２が配列される鍵盤シャーシ１のユニット載置部７の下面に取り付けられて、複数のハンマー部材２０をそれぞれ回転可能に保持するハンマーホルダ２１と、を備えている。
【００１９】
白鍵用のハンマー部材２０は、図４（ａ）〜図４（ｃ）に示すように、ハンマー本体２２と、このハンマー本体２２の後部（図４（ａ）では左側部）に設けられた荷重点部である錘部２３と、ハンマー本体２２の前部側（図４（ａ）では右側部）に設けられて、ハンマー本体２２の回転中心となる支点部である回転軸部２４と、この回転軸部２４よりも前側に位置するハンマー本体２２の先端部（図４（ａ）では右端部）に設けられた力点部である鍵連結部２５と、を備えている。
【００２０】
同様に、黒鍵用のハンマー部材２０は、図５（ａ）〜図５（ｃ）に示すように、ハンマー本体２２と、このハンマー本体２２の後部（図５（ａ）では左側部）に設けられた荷重点である錘部２３と、ハンマー本体２２の前部側（図５（ａ）では右側部）に設けられて、ハンマー本体２２の回転中心となる支点部である回転軸部２４と、この回転軸部２４よりも前側に位置するハンマー本体２２の先端部（図５（ａ）では右端部）に設けられた力点部である鍵連結部２５と、を備え、白鍵用のハンマー部材２０と形状が少し異なっている。
【００２１】
ハンマーホルダ２１は、図３および図６に示すように、鍵２の配列方向に沿って鍵盤シャーシ１のユニット載置部７の下方に配置される台座状のベース部２６と、このベース部２６の上面（図６では上面）に設けられて複数のハンマー部材２０それぞれを回転可能に保持する複数のハンマー保持部２７と、を備えている。この場合、複数のハンマー保持部２７それぞれは、ハンマー本体２２の回転軸部２４を保持する一対の保持片２７ａに軸受け孔２７ｂが同一軸上に対応してそれぞれ設けられた構造になっている。
【００２２】
ところで、ハンマー部材２０のハンマー本体２２は、図４および図５に示すように、金属板をプレス加工などの打ち抜き加工によって形成されている。また、ハンマー部材２０の回転軸部２４は、ハンマー本体２２に打ち抜き加工によって形成された取付孔２２ａに嵌入する軸本体２４ａと、この軸本体２４ａに設けられた鍔状のフランジ部２４ｂと、を備え、これらがポリアセタール（ＰＯＭ）などの剛性の高い合成樹脂によって形成されている。
【００２３】
この場合、軸本体２４ａは、図４〜図８に示すように、軸方向の長さがハンマーホルダ２１のハンマー保持部２７における一対の保持片２７ａ間の長さよりも少し長く形成され、軸本体２４ａの両端部が一対の保持片２７ａの軸受け孔２７ｂに回転可能に挿入されるようになっている。フランジ部２４ｂは、ハンマー本体２２が打ち抜き加工された際に、取付孔２２ａの縁部にバリが発生する面側に配置され、ハンマー本体２２のバリ側の面が一対の保持片２７ａに接触するのを防ぐようになっている。
【００２４】
また、ハンマー部材２０の力点部である鍵連結部２５は、図１〜図５に示すように、鍵２のハンマー押圧部１７のハンマー連結部１８に嵌め込まれる当接本体部２５ａと、この当接本体部２５ａの上面部に円弧状に設けられて鍵２のハンマー連結部１８に当接した状態で摺動する当接摺動部２５ｂと、を備えている。この鍵連結部２５は、回転軸部２４と同じポリアセタール（ＰＯＭ）などの剛性の高い合成樹脂によって形成されている。
【００２５】
これにより、ハンマー部材２０は、図１および図２に示すように、回転軸部２４の軸本体２４ａがハンマーホルダ２１のハンマー保持部２７における一対の保持片２７ａ間に回転可能に保持されて、力点部である鍵連結部２５の当接本体部２５ａが鍵２のハンマー押圧部１７のハンマー連結部１８に嵌め込まれた状態で、鍵２が押鍵操作されて、鍵連結部２５が鍵２のハンマー押圧部１７で押し下げられた際に、ハンマー本体２２が回転軸部２４の軸本体２４ａを中心に上下方向に回転して、押鍵操作された鍵２にアクション荷重を付与するようになっている。
【００２６】
この場合、ハンマー部材２０は、図１および図２に示すように、力点部である鍵連結部２５がハンマーホルダ２１から鍵２の前側に突出し、荷重点部である錘部２３側のハンマー本体２２がハンマーホルダ２１から鍵２の後側に突出するようになっている。このため、ハンマー部材２０は、鍵２の押鍵操作によって回転する際に、慣性モーメントによって鍵２にアクション荷重を付与するために、錘部２３側のハンマー本体２２が、鍵連結部２５側のハンマー本体２２よりもハンマーホルダ２１から突出する長さが十分に長く設定されている。
【００２７】
これにより、ハンマー部材２０は、図１および図２に示すように、通常の状態で、ハンマー本体２２が荷重点部である錘部２３の重量によってハンマーホルダ２１のハンマー保持部２７に保持された支点部である回転軸部２４の軸本体２４ａを中心に反時計回りに回転し、ハンマー本体２２の錘部２３側の後端部（図１では左端部）が下限ストッパ１３に当接して位置規制されると共に、ハンマー本体２２の鍵連結部２５が鍵２のハンマー押圧部１７を押し上げて鍵２を上限位置である初期位置に位置規制するようになっている。
【００２８】
また、このハンマー部材２０は、図１および図２に示すように、鍵２が上方から押鍵されると、鍵２のハンマー押圧部１７によってハンマー本体２２の力点部である鍵連結部２５がハンマー本体２２の荷重点部である錘部２３の重量に抗して押し下げられ、これに伴ってハンマー本体２２がハンマーホルダ２１のハンマー保持部２７に保持された回転軸部２４を中心に時計回りに回転して、鍵２にアクション荷重を付与するようになっている。
【００２９】
すなわち、このハンマー部材２０は、図１および図２に示すように、ハンマー本体２２がハンマーホルダ２１のハンマー保持部２７における一対の保持片２７ａの軸受け孔２７ｂに挿入されて保持された回転軸部２４の軸本体２４ａを中心に時計回りに回転し、ハンマー本体２２の錘部２３側の後端部が鍵盤シャーシ１の基板載置部８の後部下面に設けられたフェルトなどの上限ストッパ２８に当接して、ハンマー本体２２の回転が停止するようになっている。これにより、ハンマー部材２０は、下限ストッパ１３と上限ストッパ２８との間で回転するようになっている。
【００３０】
ところで、ハンマーホルダ２１のハンマー保持部２７における一対の保持片２７ａは、図７および図８に示すように、互いに対向する下部側の対向面が互いに平行に形成され、互いに対向する上部側の対向面が上方に向けて次第に広がるように傾斜している。これにより、ハンマーホルダ２１のハンマー保持部２７は、ハンマー部材２０の回転軸部２４を一対の保持片２７ａ間に上方から挿入させ易くするようになっている。
【００３１】
また、一対の保持片２７ａの対向面には、図７および図８に示すように、複数の接触リブ３０が上下方向に沿って設けられている。すなわち、これら複数の接触リブ３０は、軸受け孔２７ｂの前後方向に位置した状態で、一対の保持片２７ａの下部から上部に亘って設けられている。この場合、複数の接触リブ３０は、傾斜している上部側を除いてハンマーホルダ２１のベース部２６の水平面である上面に対して垂直、つまり抜き勾配のない状態で設けられている。
【００３２】
また、複数の接触リブ３０は、図７および図８に示すように、１つの接触リブ３０における前後方向の長さ（図７（ｂ）では横幅）が軸受け孔２７ｂの内径よりもそれぞれ十分に短い最小限の長さで形成されている。このため、複数の接触リブ３０は、ハンマー保持部２７の一対の保持片２７ａに対するハンマー部材２０の接触面積が小さくなるようになっている。さらに、これら複数の接触リブ３０における前後方向の角部には、円弧状の面取リブ（図示せず）が設けられている。このため、複数の接触リブ３０は、抜き勾配のない状態でも、成形用金型から型抜きし易くするようになっている。
【００３３】
これにより、ハンマーホルダ２１のハンマー保持部２７は、図８に示すように、一対の保持片２７ａの軸受け孔２７ｂに回転軸部２４の軸本体２４ａの両端部が挿入された際に、ハンマー本体２２のバリ側の面に配置されたフランジ部２４ｂが一方の保持片２７ａにおける複数の接触リブ３０の間に収まり、また押鍵に応じてハンマー本体２２が回転する際に、ハンマー本体２２を挟む複数の保持片２７ａの各接触リブ３０により、ハンマー本体２２の左右方向（鍵２の配列方向）への動きが規制されるようになっている。
【００３４】
このため、ハンマー保持部２７は、図８に示すように、接触リブ３０によってハンマー保持部２７の一対の保持片２７ａに対するハンマー部材２０の接触面積が小さくなり、一対の保持片２７ａとハンマー部材２０との間の摩擦抵抗が軽減された状態で、ハンマー部材２０の横振れを防いでハンマー部材２０を良好に保持するようになっている。
【００３５】
また、一対の保持片２７ａの対向面それぞれには、図７（ｂ）に示すように、段差凹部３１が軸受け孔２７ｂの周辺部における接触リブ３０の間に設けられている。この段差凹部３１は、グリースなどの潤滑剤を溜める油溜まりであり、前後方向の両側が接触リブ３０によって囲われていることにより、潤滑剤の流出を防いで潤滑剤による潤滑性能を長期間に亘って確保するようになっている。
【００３６】
さらに、一対の保持片２７ａの前後部における各上端部には、図６および図７に示すように、識別子である支持突起２７ｃがそれぞれ設けられている。これら識別子である各支持突起２７ｃは、白鍵用のハンマー部材２０を保持する一対の保持片２７ａの上端部に、黒鍵用のハンマー部材２０を保持する一対の保持片２７ａの上端部よりも高く設けられている。
【００３７】
これにより、一対の保持片２７ａは、図６および図７に示すように、白鍵用のハンマー部材２０と黒鍵用のハンマー部材２０とが取り付けられる際に、複数の識別子である各支持突起２７ｃによって、白鍵用のハンマー部材２０と黒鍵用のハンマー部材２０とを区別して取り付けるための目印になっている。
【００３８】
この場合、ハンマーホルダ２１は、図１０に示すように、例えば、黒鍵用のハンマー部材２０が５つ、白鍵用のハンマー部材２０を７つ保持しており、黒鍵用のハンマーホルダ２１の保持片２７ａに支持突起２７ｃを持たせていてもよいが、白鍵用のハンマーホルダ２１の保持片２７ａに支持突起２７ｃを持たせている方がハンマーユニット３を上下反転させて載置面Ｔ上に載置した際に、載置面Ｔとの接点が増えて安定するため望ましい。
【００３９】
また、このハンマーホルダ２１は、図９に示すように、ハンマー部材２０を保持した状態で、鍵盤シャーシ１に組み付けられる前の状態のときにおいて、ハンマー部材２０はＭ０〜Ｍ３の範囲内で自由に揺動する。このＭ０〜Ｍ３の範囲を自由揺動範囲Ｆという。ハンマー保持部２７は、ハンマー部材２０がＭ０の位置より上側に動くことを規制する規制部材である第１ハンマー規制部３２ａと、ハンマー部材２０がＭ３の位置より下側に動くことを規制する規制部材である第２ハンマー規制部３２ｂと、を備えている。
【００４０】
なお、ハンマー部材２０が鍵盤シャーシ１に組み付けられた状態において、ハンマー部材２０の回転は下限ストッパ１３と上限ストッパ２８により規制されることにより、ハンマー部材２０は、図９に示すように、Ｍ１〜Ｍ２の範囲内で揺動する。このＭ１〜Ｍ２の範囲を回転規制範囲である規制範囲Ｅという。
【００４１】
すなわち、ハンマー部材２０が自由に揺動する自由揺動範囲Ｆの上限であるＭ０は、規制範囲Ｅの外に位置しているので、第１ハンマー規制部３２ａは、演奏者に押鍵に応じたハンマー部材２０の揺動に影響を与えない。また、ハンマー部材２０が自由に揺動する自由揺動範囲Ｆの下限であるＭ３は、規制範囲Ｅの外に位置しているので、第２ハンマー規制部３２ｂは、演奏者に押鍵に応じたハンマー部材２０の揺動に影響を与えない。
【００４２】
すなわち、これら第１、第２ハンマー規制部３２ａ、３２ｂのうち、第１ハンマー規制部３２ａは、図１１に示すように、力点部側接点つまり鍵連結部２５側接点であり、ハンマー部材２０をハンマーホルダ２１に回転可能に取り付けた状態で、これらを上下反転させてハンマーホルダ２１を持ち上げた際に、ハンマー本体２２の支点部である回転軸部２４と力点部である鍵連結部２５との間に位置するハンマー本体２２の箇所に当接することにより、ハンマー部材２０の回転を規制してハンマー部材２０の錘部２３側の垂れ下がりを、この第１ハンマー規制部３２ａが設けられていない実施例と比べて、抑えるようになっている。
【００４３】
すなわち、この第１ハンマー規制部３２ａは、図１１に示すように、ハンマー本体２２の支点部である回転軸部２４と力点部である鍵連結部２５との間に位置するハンマー本体２２に当接することにより、ハンマー部材２０の錘部２３側の垂れ下がりを、この第１ハンマー規制部３２ａが設けられていない実施例と比べて、抑えるように、ハンマー部材２０の回転を規制して、ハンマー部材２０をハンマーホルダ２１に対して水平に近い状態で保持するようになっている。これにより、力点部側接点である第１ハンマー規制部３２ａは、ハンマー部材２０が取り付けられたハンマーホルダ２１を鍵盤シャーシ１に組み付け易くするようになっている。
【００４４】
また、このハンマーホルダ２１は、図１０に示すように、ハンマー部材２０が回転可能に取り付けられた状態で、これらを上下反転させて組立作業台などの載置面Ｔ上に配置させた際に、ハンマー部材２０の錘部２３側の下面とハンマーホルダ２１の各保持片２７ａの各支持突起２７ｃとが載置面Ｔに当接することにより、ハンマーホルダ２１が載置面Ｔ上に安定した状態で配置されるようになっている。
【００４５】
すなわち、このハンマー部材２０は、図１０に示すように、回転軸部２４の軸本体２４ａがハンマー保持部２７の一対の保持片２７ａの軸受け孔２７ｂに支持された状態で、軸本体２４ａを中心に回転して、錘部２３側のハンマー本体２２の下面が載置面Ｔ上に当接した際に、ハンマー本体２２が第１、第２ハンマー規制部３２ａ、３２ｂに接触することがないため、ハンマーホルダ２１を載置面Ｔ上に安定させた状態で配置させるようになっている。
【００４６】
この場合、ハンマーホルダ２１は、図１０に示すように、ハンマー部材２０が回転可能に取り付けられた状態で、これらを上下反転させて載置面Ｔ上に配置させた際に、一対の保持片２７ａに設けられた複数の支持突起２７ｃのうち、白鍵用のハンマー部材２０を保持する一対の保持片２７ａの支持突起２７ｃが載置面Ｔ上に配置されて、ハンマー部材２０の錘部２３側の下面が載置面Ｔ上に配置されるようになっている。
【００４７】
また、図１０に示すように、錘部２３は略三角形の形状をしており、ハンマーユニット３を上下反転させて載置面Ｔ上に配置させた際に、錘部２３の上側の一辺（図１０では下側の一辺）の一部Ｐが載置面Ｔ上に接して安定するように、一辺の一部Ｐは真っすぐ曲がりのない形状になっている。
【００４８】
一方、第２ハンマー規制部３２ｂは、図９に示すように、荷重点部側接点つまり錘部２３側接点であり、ハンマー部材２０がＭ０〜Ｍ３の自由揺動範囲Ｆ内で自由に揺動する際に、ハンマー部材２０をＭ３の位置に規制する。すなわち、ハンマー部材２０は、ハンマーユニット３が鍵盤シャーシ１に組み込まれていない状態において、荷重点部側接点である第２ハンマー規制部３２ｂの位置から力点部側接点である第１ハンマー規制部３２ａの位置までの自由揺動範囲Ｆ内を揺動し、押鍵操作に応じて、ハンマー部材２０が規制範囲Ｅ内を揺動する際に、ハンマー本体２２が第１、第２ハンマー規制部３２ａ、３２ｂに接しない。
【００４９】
また、ハンマーホルダ２１は、図１３（ａ）および図１３（ｂ）に示すように、複数のハンマー部材２０を回転可能に保持した状態で、鍵盤シャーシ１のユニット載置部７の下面にビス（図示せず）によって取り付けられている。すなわち、ハンマーホルダ２１は、ユニット載置部７の下面に設けられたほぼ円柱状の取付ボス３３に対応するベース部２６に設けられたビス挿入孔２６ａにビスを挿入させ、この挿入したビスを取付ボス３３に螺着させることにより、鍵盤シャーシ１のユニット載置部７の下面に取り付けられている。
【００５０】
この場合、ハンマーホルダ２１は、図１３（ａ）および図１３（ｂ）に示すように、鍵盤シャーシ１のユニット載置部７の下面に設けられた取付ボス３３によって位置決めされる第１位置決め部３４と、鍵盤シャーシ１のユニット載置部７から基板載置部８に亘って設けられた補強リブ３５によって位置決められる第２位置決め部３６と、を備えている。
【００５１】
この場合、鍵盤シャーシ１の取付ボス３３は、図１３（ａ）および図１３（ｂ）に示すように、鍵盤シャーシ１のユニット載置部７の下面に鍵２の配列方向に沿って所定間隔で複数設けられている。鍵盤シャーシ１の補強リブ３５は、ユニット載置部７から基板載置部８までの間において、鍵２の配列方向に沿って所定間隔で複数設けられている。
【００５２】
これにより、第１位置決め部３４は、図１３（ａ）および図１３（ｂ）に示すように、鍵盤シャーシ１の取付ボス３３が挿入する隙間であり、この隙間に鍵盤シャーシ１の取付ボス３３が挿入することにより、鍵２の配列方向におけるハンマーホルダ２１の位置を規制するようになっている。第２位置決め部３６は、鍵盤シャーシ１の補強リブ３５に設けられた切欠き部３５ａに係合する係合突起であり、この係合突起が補強リブ３５の切欠き部３５ａに係合することにより、鍵２の前後方向におけるハンマーホルダ２１の位置を規制するようになっている。
【００５３】
次に、このような鍵盤楽器の作用について説明する。
この鍵盤楽器を組み立てる場合には、まず、ハンマー部材２０を製作し、このハンマー部材２０をハンマーホルダ２１に取り付けて、ハンマーユニット３を組み立てる。すなわち、ハンマー部材２０を製作する場合には、金属板をプレス加工などの打ち抜き加工によってハンマー本体２２、錘部２３、ハンマー本体２２の取付孔２２ａを形成し、このハンマー本体２２の取付孔２２ａに回転軸部２４を取り付けると共に、ハンマー本体２２の先端部に鍵連結部２５を取り付ける。
【００５４】
この場合、回転軸部２４をハンマー本体２２の取付孔２２ａに取り付ける際には、打ち抜き加工によってハンマー本体２２の外周の縁部および取付孔２２ａの縁部に発生したバリ側の面から回転軸部２４の軸本体２４ａをハンマー本体２２の取付孔２２ａに嵌め込んで、回転軸部２４のフランジ部２４ｂをハンマー本体２２のバリ側の面に押し当てる。
【００５５】
これにより、ハンマー本体２２の取付孔２２ａの縁部にバリが発生していても、このバリを回転軸部２４のフランジ部２４ｂで覆った状態で、回転軸部２４の軸本体２４ａがハンマー本体２２の取付孔２２ａに取り付けられる。この結果、ハンマー本体２２に回転軸部２４が取り付けられる。
【００５６】
また、ハンマー本体２２の先端部に鍵連結部２５を取り付ける際には、鍵連結部２５の当接本体部２５ａの上面部に設けられた円弧状の当接摺動部２５ｂを上方に向けた状態で、鍵連結部２５の当接本体部２５ａをハンマー本体２２の先端部に嵌め込む。これにより、ハンマー本体２２の先端部に鍵連結部２５が取り付けられ、ハンマー部材２０が組み立てられる。
【００５７】
このハンマー部材２０をハンマーホルダ２１に取り付ける場合には、予め、ハンマー保持部２７の一対の保持片２７ａの対向面に設けられた段差凹部３１にグリースなどの潤滑剤を充填させる。この状態で、ハンマー部材２０をハンマーホルダ２１に取り付ける際には、ハンマー保持部２７の一対の保持片２７ａに設けられた識別子である支持突起２７ｃによって、白鍵用のハンマー部材２０と黒鍵用のハンマー部材２０とを区別して取り付ける。
【００５８】
すなわち、支持突起２７ｃが設けられた高さの高い一対の保持片２７ａには、白鍵用のハンマー部材２０を取り付け、支持突起２７ｃが設けられていない高さの低い一対の保持片２７ａには、黒鍵用のハンマー部材２０を取り付ける。このように、ハンマー部材２０をハンマーホルダ２１に取り付ける際には、ハンマー保持部２７の一対の保持片２７ａ間にハンマー本体２２の回転軸部２４を上方から挿入させて、回転軸部２４の軸本体２４ａの両端部を一対の保持片２７ａの各軸受け孔２７ｂに回転可能に挿入させる。
【００５９】
このときには、一対の保持片２７ａの対向面における上部側が互いに広がるように傾斜していることにより、一対の保持片２７ａを押し広げながら、一対の保持片２７ａ間に回転軸部２４の軸本体２４ａが容易に挿入される。この状態では、ハンマー本体２２のバリ側の面に配置された回転軸部２４のフランジ部２４ｂが、ハンマー本体２２のバリ側の面とこれに対向する一方の保持片２７ａの対向面との間に配置される。これにより、ハンマー本体２２のバリ側の面が一方の保持片２７ａの対向面に接触することがない。
【００６０】
この場合には、一対の保持片２７ａの対向面に接触リブ３０が上下方向に沿って設けられているので、ハンマー本体２２のバリ側の面に配置されたフランジ部２４ｂが一方の保持片２７ａの接触リブ３０に接触して配置される。また、この場合には、ハンマー本体２２のバリ側と反対側の面が他方の保持片２７ａの接触リブ３０に接触して配置される。
【００６１】
この状態では、複数の接触リブ３０が上部側を除いてハンマーホルダ２１のベース部２６の水平面である上面に対して垂直、つまり抜き勾配のない状態で設けられているので、ハンマー本体２２のバリ側の面に配置されたフランジ部２４ｂが一方の保持片２７ａの接触リブ３０に均一に押し当てられると共に、ハンマー本体２２のバリ側と反対側の面が他方の保持片２７ａの接触リブ３０に均一に押し当てられる。
【００６２】
この場合には、回転軸部２４のフランジ部２４ｂとハンマー本体２２のバリ側と反対側の面とが一対の保持片２７ａの接触リブ３０に接触することにより、ハンマー保持部２７の一対の保持片２７ａに対するハンマー部材２０の接触面積が小さくなる。このため、一対の保持片２７ａとハンマー部材２０との間の摩擦抵抗が軽減されると共に、ハンマー部材２０の横振れが防げる。これにより、ハンマー部材２０が回転可能な状態で確実にかつ良好に保持され、ハンマーユニット３が組み立てられる。
【００６３】
このようにして、組み立てられたハンマーユニット３を鍵盤シャーシ１に取り付ける際には、まず、図１０に示すように、ハンマーユニット３と鍵盤シャーシ１とを上下反転させる。すなわち、ハンマーユニット３のハンマーホルダ２１を複数のハンマー部材２０と共に上下反転させて組立作業台などの載置面Ｔ上に配置させると共に、図１１に示すように、鍵盤シャーシ１を上下反転させて組立作業台などの載置面Ｔ上に配置させる。
【００６４】
このときには、一対の保持片２７ａに設けられた複数の支持突起２７ｃのうち、白鍵用のハンマー部材２０を保持する一対の保持片２７ａの上端部に設けられた支持突起２７ｃが載置面Ｔ上に配置される。この状態では、ハンマー部材２０の錘部２３によってハンマー部材２０が回転軸部２４の軸本体２４ａを中心に回転して、ハンマー部材２０の錘部２３側の下面が載置面Ｔに当接する。
【００６５】
また、このときは、図１０に示すように、回転軸部２４の軸本体２４ａがハンマー保持部２７の一対の保持片２７ａの軸受け孔２７ｂに支持された状態で、鍵連結部２５側のハンマー本体２２が第１、第２ハンマー規制部３２ａ、３２ｂに接触することなく、ハンマーホルダ２１に保持される。このため、ハンマー部材２０とハンマーホルダ２１とが載置面Ｔ上に安定した状態で配置される。
【００６６】
この状態で、ハンマーホルダ２１を自動組立機（図示せず）によって載置面Ｔ上から持ち上げた際には、図１１に示すように、ハンマー部材２０の錘部２３によってハンマー部材２０が回転軸部２４の軸本体２４ａを中心に回転するが、ハンマー本体２２がハンマーホルダ２１の力点部側接点である第１ハンマー規制部３２ａに当接して、ハンマー部材２０の回転が規制される。
【００６７】
このときには、規制部材の力点部側接点である第１ハンマー規制部３２ａによってハンマー部材２０の錘部２３側の垂れ下がりが最小限に抑えられるため、ハンマー部材２０がハンマーホルダ２１に対して水平に近い状態で保持される。これにより、ハンマー部材２０が取り付けられたハンマーホルダ２１が自動組立機によって鍵盤シャーシ１に組み付け易くなる。
【００６８】
そして、複数のハンマー部材２０が取り付けられたハンマーホルダ２１を上下反転させた状態で、上下反転された鍵盤シャーシ１のユニット載置部７の上面（図１では下面）に組み付ける。このときには、複数のハンマー部材２０が第１ハンマー規制部３２ａによってハンマーホルダ２１に対して水平に近い状態で保持されるため、複数のハンマー部材２０が大きく垂れ下がることない。このため、複数のハンマー部材２０の大きな垂れ下がりによって邪魔されることがなく、ハンマーホルダ２１が鍵盤シャーシ１のユニット載置部７の上面に組み付けられる。
【００６９】
このときには、ハンマーホルダ２１を第１、第２位置決め部３４、３６によって鍵盤シャーシ１に対して位置決めする。すなわち、第１位置決め部３４は、鍵盤シャーシ１の取付ボス３３が挿入して、鍵２の配列方向におけるハンマーホルダ２１の位置を規制する。第２位置決め部３６は、鍵盤シャーシ１の補強リブ３５に設けられた切欠き部３５ａに係合して、鍵２の前後方向におけるハンマーホルダ２１の位置を規制する。
【００７０】
これにより、ハンマーホルダ２１のベース部２６に設けられたビス挿入孔２６ａが、ユニット載置部７の下面に設けられたほぼ円柱状の取付ボス３３に対応する。この状態で、ビス（図示せず）をハンマーホルダ２１のベース部２６のビス挿入孔２６ａに挿入させ、この挿入したビスを取付ボス３３に螺着させる。これにより、図１２に示すように、鍵盤シャーシ１のユニット載置部７にハンマーホルダ２１が取り付けられている。
【００７１】
この後、鍵盤シャーシ１をハンマーユニット３と共に上下反転させて普通の状態にする。この状態で、鍵盤シャーシ１の基板載置部８にスイッチ部４を取り付ける。このときには、予め、ドーム状の膨出部１６が設けられたゴムシートをスイッチ基板１５上に取り付け、このスイッチ基板１５の前端部をユニット載置部７上に配置し、他端部を基板載置部８上に設けられた基板支持部９上に配置する。
【００７２】
そして、複数の鍵２を鍵盤シャーシ１に取り付ける。このときには、まず、鍵２の前端部内に鍵盤シャーシ１の鍵ガイド部６を挿入させて、鍵２のハンマー押圧部１７の下部に設けられたハンマー連結部１８に、ハンマー部材２０の鍵連結部２５の当接摺動部２５ｂを挿入させる。この状態で、鍵２の後端部を鍵盤シャーシ１の鍵支持部１１に鍵支持軸１１ａによって上下方向に回転可能に取り付ける。
【００７３】
これにより、鍵２の前部内に鍵ガイド部６が挿入され、鍵２のハンマー押圧部１７の下部に設けられたハンマー連結部１８に、ハンマー部材２０の鍵連結部２５の当接摺動部２５ｂが挿入された状態で、鍵２のスイッチ押圧部１４が鍵盤シャーシ１のスイッチ部４の膨出部１６に対応して配置される。これにより、鍵盤楽器が組み立てられる。
【００７４】
次に、このように組み立てられた鍵盤楽器を使用する場合について説明する。
まず、鍵２が押鍵操作されていない初期状態のときには、図１に示すように、ハンマー部材２０のハンマー本体２２が錘部２３の重量によってハンマー本体２２の回転軸部２４の軸本体２４ａを中心に反時計回りに回転し、このハンマー部材２０の錘部２３側の後端部が鍵盤シャーシ１の後脚部１２における下端部に設けられた下限ストッパ１３に上方から当接し、ハンマー本体２２がＭ２の位置に規制されている。
【００７５】
このときには、図１に示すように、ハンマー本体２２がハンマーホルダ２１の第２ハンマー規制部３２ｂに当接することなく、離れている。このとき、鍵２のハンマー押圧部１７のハンマー連結部１８がハンマー本体２２の先端部（図１では右端部）に位置する鍵連結部２５によって押し上げられているので、鍵２が鍵盤シャーシ１の鍵載置部１０上に設けられた鍵支持部１１の鍵支持軸１１ａを中心に反時計回りに回転して上限位置に規制されている。この状態では、鍵２のスイッチ押圧部１４がスイッチ部４の上方に位置して離れている。
【００７６】
この状態で、鍵２を押鍵操作すると、図２に示すように、鍵２が鍵支持部１１の鍵支持軸１１ａを中心に時計回りに回転して、ハンマー押圧部１７のハンマー連結部１８がハンマー部材２０の鍵連結部２５を押し下げる。これにより、ハンマー部材２０が錘部２３の重量に抗して、図１において時計回りに回転する。このときには、ハンマー部材２０のハンマー本体２２の回転によって、鍵２にアクション荷重が付与されるので、鍵荷重が重くなる。
【００７７】
そして、鍵２の押鍵操作に伴ってハンマー部材２０が時計回りに更に回転して、ハンマー本体２２の後端部（図２では左端部）が鍵盤シャーシ１の鍵載置部１０の下面に設けられたフェルトなどの上限ストッパ２８に下側から接近する。このときには、スイッチ部４が鍵２のスイッチ押圧部１４によって押圧されて、ゴムシートの膨出部１６が弾性変形することにより、スイッチ部４がスイッチ信号を出力する。
【００７８】
これにより、発音部１５ａがスイッチ部４からのオン信号に基づいて楽音情報を生成し、この生成した楽音情報に基づいてスピーカ（図示せず）から楽音を放音させる。この後、ハンマー本体２２の後端部（図１では左端部）が鍵盤シャーシ１の鍵載置部１０の下面に設けられたフェルトなどの上限ストッパ２８に下側から当接し、ハンマー本体２２が上限位置Ｍ１に規制されて、ハンマー部材２０の回転が停止する。このときには、ハンマー部材２０がハンマーホルダ２１の第１ハンマー規制部３２ａに当接することがなく、離れている。
【００７９】
そして、鍵２から指が離れて鍵２が離鍵動作を開始すると、ハンマー部材２０のハンマー本体２２が錘部２３の重量によって回転軸部２４の軸本体２４ａを中心に反時計回りに回転し、鍵２がスイッチ部４の膨出部１６の弾性復帰力によって鍵支持部１１の鍵支持軸１１ａを中心に反時計回りに回転を開始する。
【００８０】
このように、ハンマー本体２２が回転軸部２４の軸本体２４ａを中心に反時計回りに更に回転し、鍵２が鍵支持部１１の鍵支持軸１１ａを中心に反時計回りに更に回転する。そして、ハンマー本体２２の錘部２３側の後端部が鍵盤シャーシ１の後脚部１２における下端部に設けられた下限ストッパ１３に上方から当接する。
【００８１】
これにより、鍵２は、図１に示すように、ハンマー押圧部１７のハンマー連結部１８がハンマー本体２２の先端部（図１では右端部）に位置する鍵連結部２５によって押し上げられるので、鍵２が鍵支持部１１の鍵支持軸１１ａを中心に反時計回りに回転して上限位置に規制される。この状態では、鍵２が初期位置に戻り、ハンマー本体２２が第２ハンマー規制部３２ｂに当接することがなく、鍵２のスイッチ押圧部１４がスイッチ部４の上方に位置して離れる。
【００８２】
このように、ハンマー部材２０の回転軸部２４がハンマーホルダ２１のハンマー保持部２７の一対の保持片２７ａの軸受け孔２７ｂを中心に回転する際には、回転軸部２４のフランジ部２４ｂがハンマー本体２２のバリ側の面に押し当てられているので、ハンマー本体２２の取付孔２２ａの縁部にバリがあっても、このバリをフランジ部２４ｂで覆っていることにより、バリによる影響が防げる。
【００８３】
また、ハンマー部材２０は、回転軸部２４の軸本体２４ａの両端部がハンマー保持部２７の一対の保持片２７ａの軸受け孔２７ｂに挿入された状態で、回転軸部２４が一対の保持片２７ａ間に挟まれて保持されているので、ハンマー本体２２のバリ側の面とこれに対向する一方の保持片２７ａの対向面との間にフランジ部２４ｂが配置されて、ハンマー本体２２のバリ側の面とこれに対向する一方の保持片２７ａの対向面とが接触することがない。このため、ハンマー部材２０の回転時にハンマー本体２２のバリによって保持片２７ａが削られることがない。
【００８４】
この場合、ハンマー部材２０の回転軸部２４が一対の保持片２７ａ間に挟まれて保持された際には、一対の保持片２７ａの対向面に設けられた複数の接触リブ３０が、傾斜している上部側を除いてハンマーホルダ２１のベース部２６の水平面である上面に対して垂直、つまり抜き勾配のない状態で設けられているので、ハンマー本体２２のバリ側の面に配置されたフランジ部２４ｂが一方の保持片２７ａの接触リブ３０に均一に押し当てられ、ハンマー本体２２のバリ側と反対側の面が他方の保持片２７ａの接触リブ３０に均一に押し当てられる。
【００８５】
このため、ハンマー部材２０がハンマー保持部２７に保持されて回転する際には、接触リブ３０によってハンマー保持部２７の一対の保持片２７ａに対するハンマー部材２０の接触面積が小さくなる。このため、一対の保持片２７ａとハンマー部材２０との間の摩擦抵抗が軽減されると共に、ハンマー部材２０の横振れが防止される。これにより、ハンマー部材２０が良好に保持された状態で円滑に回転する。
【００８６】
このときには、一対の保持片２７ａの対向面における軸受け孔２７ｂの周辺部における接触リブ３０の間に設けられた段差凹部３１に、グリースなどの潤滑剤が溜められていることにより、ハンマー部材２０がハンマー保持部２７に保持されて回転する際に、グリースなどの潤滑剤によっても、ハンマー部材２０が円滑にかつ良好に回転する。この場合、段差凹部３１は前後方向の両側が接触リブ３０によって囲われていることにより、潤滑剤の流出を防いで潤滑剤による潤滑性能を長期間に亘って確保する。
【００８７】
このように、この鍵盤楽器によれば、一端側の力点部である鍵連結部２５と、他端側の荷重点部である錘部２３と、鍵連結部２５と錘部２３との間の支点部である回転軸部２４と、をそれぞれ有する複数のハンマー部材２０と、これら複数のハンマー部材２０を揺動可能に保持しているハンマーホルダ２１と、を有するハンマーユニット３と、複数のハンマー部材２０の揺動を規制範囲内に規制する規制部材である第１、第２ハンマー規制部３２ａ、３２ｂを有し、ハンマーユニット３が組み込まれている鍵盤シャーシ１と、を備えているので、規制部材である第１、第２ハンマー規制部３２ａ、３２ｂによって複数のハンマー部材２０の揺動を規制範囲つまり自由揺動範囲Ｆ内に規制することができるので、組立作業性を向上させることができる。
【００８８】
すなわち、この鍵盤楽器では、ハンマーユニット３を鍵盤シャーシ１に組み込むためにハンマーユニット３を上下反転させた状態において、複数のハンマー部材２０それぞれの支点部である回転軸部２４と荷重点部である錘部２３との間の鍵２の前後方向の長さを、回転軸部２４と規制部材である第１ハンマー規制部３２ａに位置する力点部である鍵連結部２５との間の鍵２の前後方向の長さより長くするために、ハンマーホルダ２１は、上下反転された状態で複数のハンマー部材２０の各力点部である鍵連結部２５側に第１ハンマー規制部３２ａが接する複数の力点部側接点である第１ハンマー規制部３２ａを有していることにより、複数のハンマー部材２０の揺動範囲つまり自由揺動範囲Ｆを規制することができる。
【００８９】
つまり、この鍵盤楽器では、鍵２の押鍵操作時にハンマー部材２０が回転する回転範囲である規制範囲Ｅ、つまりハンマー部材２０が下限ストッパ１３と上限ストッパ２８との間で回転する回転範囲である規制範囲Ｅを超えた際に、力点部側接点である第１ハンマー規制部３２ａによってハンマー部材２０の回転を規制するこができるので、ハンマー部材２０をハンマーホルダ２１で回転可能に保持した状態で、ハンマーホルダ２１を鍵盤シャーシ１に組み付ける際に、第１ハンマー規制部３２ａによってハンマー部材２０が大きく垂れ下るのを防ぐことができ、これにより組立作業性を向上させることができる。
【００９０】
また、この鍵盤楽器では、鍵２の押鍵操作時にハンマー部材２０が回転する回転範囲である規制範囲Ｅ、つまりハンマー部材２０が下限ストッパ１３と上限ストッパ２８との間で回転する規制範囲Ｅを超えた際に、ハンマー部材２０の回転を力点部側接点である第１ハンマー規制部３２ａが規制するので、ハンマー部材２０がハンマーホルダ２１によって鍵盤シャーシ１に取り付けられた状態で、鍵２の押鍵操作に応じてハンマー部材２０が回転して鍵２にアクション荷重を付与する際に、第１ハンマー規制部３２ａがハンマー部材２０の回転動作を妨げないようにすることができる。
【００９１】
また、この鍵盤楽器では、力点部側接点である第１ハンマー規制部３２ａによってハンマー部材２０の回転を規制してハンマー部材２０の錘部２３側の垂れ下がりを最小限に抑えることができるので、ハンマー部材２０をハンマーホルダ２１で回転可能に保持した状態で、ハンマーホルダ２１を上下反転させて鍵盤シャーシ１に組み付ける際に、ハンマー部材２０が大きく垂れ下るのを防ぐことができ、これにより組立作業性を向上させることができる。
【００９２】
さらに、この鍵盤楽器によれば、ハンマーユニット３を鍵盤シャーシ１に組み込むためにハンマーユニット３を上下反転させて載置面Ｔ上に載置させた際に、ハンマーホルダ２１の上端である支持突起２７ｃと、複数のハンマー部材２０それぞれの荷重点部である錘部２３とが載置面Ｔ上に接するように、ハンマーホルダ２１が複数のハンマー部材２０を保持していることにより、ハンマーホルダ２１を載置面Ｔ上に安定させた状態で配置させることができるので、これによっても組立作業性を向上させることができる。
【００９３】
すなわち、この鍵盤楽器では、ハンマー部材２０の錘部２３側とハンマーホルダ２１とを載置面Ｔ上に当接させた状態で、ハンマーホルダ２１を載置面Ｔ上に安定させた状態で配置させることができるので、ハンマー部材２０がハンマーホルダ２１の規制部材である第１、第２ハンマー規制部３２ａ、３２ｂに当接することがなく、ハンマー部材２０をハンマーホルダ２１で回転可能に保持した状態で、ハンマーホルダ２１を上下反転させて鍵盤シャーシ１に組み付ける際に、ハンマー部材２０を保持したハンマーホルダ２１を自動組立機によって良好に保持して持ち上げることができ、これにより組立作業性を向上させることができる。
【００９４】
この場合、この鍵盤楽器では、押鍵操作に応じて、複数のハンマー部材２０が規制範囲Ｅ内を揺動する際に、複数のハンマー部材２０が力点部側接点である第１ハンマー規制部３２ａに接しないことにより、鍵２の押鍵操作に応じてハンマー部材２０が規制範囲Ｅ内で回転して鍵２にアクション荷重を付与する際に、第１ハンマー規制部３２ａがハンマー部材２０の回転動作を妨げないようにすることができるので、鍵２を良好に押鍵操作することができる。
【００９５】
また、この鍵盤楽器のハンマーホルダ２１は、ハンマーユニット３が鍵盤シャーシ１に組み込まれていない状態において、複数のハンマー部材２０の荷重点部側である錘部２３側に接する荷重点部側接点である第２ハンマー規制部３２ｂを有することにより、ハンマーユニット３が鍵盤シャーシ１に組み込まれていない状態において、荷重点部側接点である第２ハンマー規制部３２ｂの位置から力点部側接点である第１ハンマー規制部３２ａの位置までの自由揺動範囲Ｆ内を揺動し、押鍵操作に応じて、複数のハンマー部材２０が規制範囲Ｅ内を揺動する際に、ハンマー部材２０が荷重点部側接点である第２ハンマー規制部３２ｂに接しないようにすることができる。このため、鍵２の押鍵操作に応じてハンマー部材２０が回転して鍵２にアクション荷重を付与する際に、第２ハンマー規制部３２ｂがハンマー部材２０の回転動作を妨げないようにすることができるので、鍵２を良好に押鍵操作することができる。
【００９６】
また、この鍵盤楽器では、ハンマーホルダ２１がハンマー部材２０を複数配列させた状態で保持することにより、ハンマーホルダ２１に複数のハンマー部材２０を保持させることができるので、鍵盤シャーシ１に複数のハンマー部材２０をハンマーホルダ２１によって一度に組む付けることができ、これによっても組立作業性を向上させることができる。
【００９７】
また、この鍵盤楽器では、ハンマーホルダ２１がハンマー部材２０を回転可能に挟んで保持するハンマー保持部２７を備えていることにより、このハンマー保持部２７によってハンマー部材２０を回転可能な状態で挟むことができ、これによりハンマー部材２０を確実にかつ良好に保持することができる。
【００９８】
すなわち、ハンマー保持部２７は、一対の保持片２７ａに軸受け孔２７ｂを同一軸上に対応させて設けた構造であるから、ハンマー部材２０の回転軸部２４を軸受け孔２７ｂに挿入させた状態で、回転軸部２４を一対の保持片２７ａで良好に挟むことができ、これによりハンマー部材２０を回転可能な状態で確実にかつ良好に保持することができる。
【００９９】
また、この鍵盤楽器では、複数の保持片２７ａが複数のハンマー部材２０を保持していない状態において、複数の保持片２７ａが白鍵用のハンマー部材２０と黒鍵用のハンマー部材２０とのいずれのハンマー部材２０を保持するかを識別するために、複数の保持片２７ａは、識別子である支持突起２７ｃを有していることにより、この識別子である支持突起２７ｃによって白鍵用のハンマー部材２０と黒鍵用のハンマー部材２０とを識別して取り付けることができる。
【０１００】
すなわち、識別子は、複数の保持片２７ａのうち白鍵用のハンマー部材２０を保持している一対の保持片２７ａの上端に設けられている複数の支持突起２７ｃであることにより、支持突起２７ｃが、黒鍵用のハンマー部材２０が取り付けられるハンマー保持部２７の上端部よりも高いことにより、白鍵用のハンマー部材２０と黒鍵用のハンマー部材２０とが取り付けられる際に、ハンマー保持部２７の支持突起２７ｃによって、白鍵用のハンマー部材２０と黒鍵用のハンマー部材２０とを識別して取り付けることができる。
【０１０１】
この場合、ハンマーホルダ２１は、ハンマーユニット３を鍵盤シャーシ１に組み込むためにハンマーユニット３を上下反転させて載置面Ｔ上に載置させた際に、複数の支持突起２７ｃと、複数のハンマー部材２０それぞれの荷重点部である錘部２３が、載置面Ｔ上に接するように、複数のハンマー部材２０を保持していることにより、ハンマー部材２０がハンマーホルダ２１の規制部材である第１、第２ハンマー規制部３２ａ、３２ｂに当接することがなく、ハンマーホルダ２１を載置面Ｔ上に安定させた状態で配置させることができるので、これによっても組立作業性を向上させることができる。
【０１０２】
さらに、この鍵盤楽器では、ハンマー部材２０の回転軸部２４が、一対の保持片２７ａの各軸受け孔２７ｂに挿入する軸本体２４ａと、この軸本体２４ａに設けられた鍔状のフランジ部２４ｂと、を備えているので、フランジ部２４ｂをハンマー本体２２のバリ側の面に押し当てることができ、これによりハンマー本体２２の取付孔２２ａの縁部にバリがあっても、このバリをフランジ部２４ｂで覆うことができるので、バリによる影響を防ぐことができる。
【０１０３】
また、ハンマー部材２０は、回転軸部２４の軸本体２４ａの両端部がハンマー保持部２７の一対の保持片２７ａの軸受け孔２７ｂに挿入された状態で、回転軸部２４が一対の保持片２７ａ間に挟まれて保持されることにより、ハンマー本体２２のバリ側の面とこれに対向する一方の保持片２７ａの対向面との間にフランジ部２４ｂを配置させて、ハンマー本体２２のバリ側の面と一対の保持片２７ａの対向面との接触を防ぐことができ、これによりハンマー部材２０の回転時にハンマー本体２２のバリによって保持片２７ａが削られることがない。
【０１０４】
また、一対の保持片２７ａは、互いに対向する対向面の上部側が互いに広がるように傾斜していることにより、ハンマー本体２２の回転軸部２４を一対の保持片２７ａ間に挿入させる際に、一対の保持片２７ａを押し広げながら、一対の保持片２７ａ間に回転軸部２４の軸本体２４ａを容易に挿入させることができる。
【０１０５】
この場合、一対の保持片２７ａの対向面には、複数の接触リブ３０が、傾斜している上部側を除いて、ハンマーホルダ２１のベース部２６を水平面である上面に対して垂直、つまり抜き勾配のない状態で設けられているので、ハンマー本体２２のバリ側の面に配置されたフランジ部２４ｂを一方の保持片２７ａの接触リブ３０に均一に押し当てることができると共に、ハンマー本体２２のバリ側と反対側の面を他方の保持片２７ａの接触リブ３０に均一に押し当てることができる。
【０１０６】
このため、ハンマー保持部２７は、ハンマー部材２０が回転する際に、接触リブ３０によってハンマー保持部２７の一対の保持片２７ａに対するハンマー部材２０の接触面積を小さくすることができ、一対の保持片２７ａとハンマー部材２０との間の摩擦抵抗を軽減させることができると共に、ハンマー部材２０の横振れを防ぐことができるので、ハンマー部材２０を良好に保持した状態で円滑に回転させることができる。
【０１０７】
この場合、一対の保持片２７ａの対向面には、段差凹部３１が保持片２７ａの前後方向の両側に位置する接触リブ３０によって囲われていることにより、この段差凹部３１にグリースなどの潤滑剤を充填させることができると共に、充填された潤滑剤の流出を防ぐことができので、潤滑剤による潤滑性能を長期間に亘って確保することができる。
【０１０８】
また、この鍵盤楽器では、ハンマーホルダ２１を鍵盤シャーシ１に対して位置決めするための第１、第２位置決め部３４、３６を備えていることにより、第１、第２位置決め部３４、３６によって鍵２の配列方向と鍵２の前後方向とにおけるハンマーホルダ２１の位置を正確に規制して、ハンマーホルダ２１を鍵盤シャーシ１に精度良く位置決めして取り付けることができる。
【０１０９】
すなわち、第１位置決め部３４は、鍵盤シャーシ１の取付ボス３３が挿入する隙間であり、この隙間に鍵盤シャーシ１の取付ボス３３が挿入することにより、鍵２の配列方向におけるハンマーホルダ２１の位置を正確に規制することができる。第２位置決め部３６は、鍵盤シャーシ１の補強リブ３５に設けられた切欠き部３５ａに係合する係合突起であり、この係合突起が補強リブ３５の切欠き部３５ａに係合することにより、鍵２の前後方向におけるハンマーホルダ２１の位置を正確に規制することができる。
【０１１０】
なお、上述した実施形態では、ハンマー部材２０に回転軸部２４を設け、ハンマーホルダ２１のハンマー保持部２７における一対の保持片２７ａに軸受け孔２７ｂを同一軸上に対応させて設けた場合について述べたが、この発明はこれに限らず、例えばハンマー部材２０に軸受け孔２７ｂを設け、ハンマーホルダ２１のハンマー保持部２７における一対の保持片２７ａの対向面に回転軸部２４を同一軸上に対応させて設けた構造であっても良い。
【０１１１】
以上、この発明のいくつかの実施形態について説明したが、この発明は、これに限られるものではなく、特許請求の範囲に記載された発明とその均等の範囲を含むものである。
以下に、本願の特許請求の範囲に記載された発明を付記する。
【０１１２】
（付記）
請求項１に記載の発明は、一端側に設けられている力点部と、他端側に設けられている荷重点部と、前記力点部と前記荷重点部との間に設けられている支点部と、をそれぞれ有する複数のハンマー部材と、前記複数のハンマー部材を揺動可能に保持しているハンマーホルダと、を有するハンマーユニットと、押鍵操作に応じた前記複数のハンマー部材の揺動を規制範囲内に規制する規制部材を有し、前記ハンマーユニットが組み込まれている鍵盤シャーシと、を備え、前記ハンマーユニットを前記鍵盤シャーシに組み込むために前記ハンマーユニットを上下反転させた状態において、前記複数のハンマー部材それぞれにおける前記支点部と、前記荷重点部の他端と、の間の鍵の前後方向の長さを、前記支点部と、前記規制部材における前記支点部側の一端と、の間の前記鍵の前後方向の長さより長くするために、前記ハンマーホルダは、前記上下反転させた状態で前記複数のハンマー部材のそれぞれの前記力点部側に接する複数の力点部側接点を有していることを特徴とする鍵盤楽器である。
【０１１３】
請求項２に記載の発明は、請求項１に記載の鍵盤楽器において、前記ハンマーホルダは、前記ハンマーユニットを前記鍵盤シャーシに組み込むために前記ハンマーユニットを上下反転させて載置面上に載置させた際に、前記ハンマーホルダの上端と、前記複数のハンマー部材それぞれの荷重点部が、前記載置面上に接するように、前記複数のハンマー部材を保持していることを特徴とする鍵盤楽器である。
【０１１４】
請求項３に記載の発明は、請求項１または２に記載の鍵盤楽器において、前記複数のハンマー部材は、少なくとも１つの白鍵用のハンマー部材と、前記少なくとも１つの白鍵用のハンマー部材とは形状が異なる少なくとも１つの黒鍵用のハンマー部材と、を含み、前記ハンマーホルダは、前記複数のハンマー部材をそれぞれ保持するための複数の保持片を含み、前記複数の保持片が前記複数のハンマー部材を保持していない状態において、前記複数の保持片が前記少なくとも１つの白鍵用のハンマー部材及び前記少なくとも１つの黒鍵用のハンマー部材のいずれのハンマー部材を保持するかを識別するために、前記複数の保持片は、識別子を有していることを特徴とする鍵盤楽器である。
【０１１５】
請求項４に記載の発明は、請求項３に記載の鍵盤楽器において、前記識別子は、前記複数の保持片のうち前記少なくとも１つの白鍵用のハンマー部材を保持している一対の保持片の上端に設けられている複数の突起であることを特徴とする鍵盤楽器である。
【０１１６】
請求項５に記載の発明は、請求項４に記載の鍵盤楽器において、前記ハンマーホルダは、前記ハンマーユニットを前記鍵盤シャーシに組み込むために前記ハンマーユニットを上下反転させて載置面上に載置させた際に、前記複数の突起と、前記複数のハンマー部材それぞれの荷重点部が、前記載置面上に接するように、前記複数のハンマー部材を保持していることを特徴とする鍵盤楽器である。
【０１１７】
請求項６に記載の発明は、請求項１乃至５のいずれかに記載の鍵盤楽器において、前記複数のハンマー部材それぞれの支持部はそれぞれ軸を含み、前記ハンマーホルダは、前記軸を軸止する複数の孔を含むことを特徴とする鍵盤楽器である。
【０１１８】
請求項７に記載の発明は、請求項１乃至６のいずれかに記載の鍵盤楽器において、前記押鍵操作に応じて、前記複数のハンマー部材が前記規制範囲内を揺動する際に、前記複数のハンマー部材は、前記力点部側接点に接しないことを特徴とする鍵盤楽器である。
【０１１９】
請求項８に記載の発明は、請求項１乃至７のいずれかに記載の鍵盤楽器において、前記ハンマーホルダは、前記ハンマーユニットが前記鍵盤シャーシに組み込まれていない状態において、前記複数のハンマー部材のそれぞれの前記荷重点部側に接する複数の荷重点部側接点を有することにより、前記複数のハンマー部材は、前記ハンマーユニットが前記鍵盤シャーシに組み込まれていない状態において、前記荷重点部側接点の位置から前記力点部側接点の位置までの自由揺動範囲内を揺動し、前記押鍵操作に応じて、前記複数のハンマー部材が前記規制範囲内を揺動する際に、前記複数のハンマー部材は、前記荷重点部側接点に接しないことを特徴とする鍵盤楽器である。
【符号の説明】
【０１２０】
１  鍵盤シャーシ
２  鍵
３  ハンマーユニット
４  スイッチ部
７  ユニット載置部
１０  鍵載置部
１３  下限ストッパ
１５ａ  発音部
１７  ハンマー押圧部
２０  ハンマー部材
２１  ハンマーホルダ
２２  ハンマー本体
２３  錘部（荷重点部）
２４  回転軸部（支点部）
２４ａ  軸本体
２４ｂ  フランジ部
２５  鍵連結部（力点部）
２６  ベース部
２７  ハンマー保持部
２７ａ  保持片
２７ｂ  軸受け孔
２７ｃ  支持突起（識別子）
２８  上限ストッパ
３０  接触リブ
３１  段差凹部
３２ａ  第１ハンマー規制部（力点部側接点）
３２ｂ  第２ハンマー規制部（荷重点部側接点）
３３  取付ボス
３４  第１位置決め部
３５  補強リブ
３６  第２位置決め部
Ｅ  規制範囲
Ｆ  自由揺動範囲
【図１】
2020024266.tif 000003
【図２】
2020024266.tif 000004
【図３】
2020024266.tif 000005
【図４】
2020024266.tif 000006
【図５】
2020024266.tif 000007
【図６】
2020024266.tif 000008
【図７】
2020024266.tif 000009
【図８】
2020024266.tif 000010
【図９】
2020024266.tif 000011
【図１０】
2020024266.tif 000012
【図１１】
2020024266.tif 000013
【図１２】
2020024266.tif 000014
【図１３】
2020024266.tif 000015
【手続補正書】
【提出日】令和1年9月13日(2019.9.13)
【手続補正１】
【補正対象書類名】明細書
【補正対象項目名】００８８
【補正方法】変更
【補正の内容】
【００８８】
すなわち、この鍵盤楽器では、ハンマーユニット３を鍵盤シャーシ１に組み込むためにハンマーユニット３を上下反転させた状態において、複数のハンマー部材２０それぞれの支点部である回転軸部２４と荷重点部である錘部２３側の先端部との間の鍵２の前後方向の第１長さを、回転軸部２４と上限ストッパ２８の回転軸部２４側の一端との間の鍵２の前後方向の第２長さより長くするために、ハンマーホルダ２１は、上下反転された状態で複数のハンマー部材２０の各力点部である鍵連結部２５側が接する複数の力点部側接点である第１ハンマー規制部３２ａを有していることにより、複数のハンマー部材２０の揺動を特定の範囲つまり自由揺動範囲Ｆに規制することができる。